(57)【要約】【課題】乳児への監視負担を軽減しつつ、乳児の体に負担を掛けることもなく、乳児の顔面が乳児の身体方向と同一方向へ向くようにした向き癖矯正具を提供する。【解決手段】首保持部１１に乳児の首部を載置し、第１帯状部材１２と第２帯状部材１３とを乳児の胸部近傍において第１帯状部材１２を下方にして、たすき掛けし、第２帯状部材１３を乳児の背中を通して右脇の下まで移動させ、第１帯状部材１２の端部１２ａと第２帯状部材１３の端部１３ａとを結びつける。【選択図】図６
2015228968.tif 000002
【特許請求の範囲】
【請求項１】
乳児の頭部の向き癖を矯正する向き癖矯正具であって、
乳児の首部を載置した際に乳児の顔面が乳児の身体方向と同一方向へ向くように形成された首保持部と、
前記首保持部の対向する端部にそれぞれ設けられ、乳児の胸回りに巻き付けて乳児の上半身を緊締する第１帯状部材及び第２帯状部材と、
を備えたことを特徴とする向き癖矯正具。
【請求項２】
前記首保持部は、乳児の左右の首側部間を首後ろ回りに沿って湾曲可能に形成されたことを特徴とする請求項１に記載の向き癖矯正具。
【請求項３】
乳児の頭部の向き癖を矯正する向き癖矯正具であって、
乳児の首部を載置した際に乳児の顔面が乳児の身体方向と同一方向へ向くように形成された首保持部と、
前記首保持部の長手方向の一端部に設けられた第１帯状部材と、
前記首保持部の長手方向の他端部に設けられた第２帯状部材と、を備え、
前記首保持部の長手方向を乳児の身体方向に対して左右方向に配置して、乳児の首後部が前記首保持部に接するように乳児の首部を載置し、その後、乳児の胸部近傍において、前記第１帯状部材を前記他端部の側にある乳児の脇の下へ、前記第２帯状部材を前記一端部の側にある乳児の脇の下へ、それぞれ緩みなく掛け渡し、その後、前記第１帯状部材及び前記第２帯状部材の双方又は一方を乳児の体の背面側へ折り曲げ、さらに背中に沿って、その折り曲げた脇の下とは別の脇の下へ緩みなく掛け渡し、その後、任意の位置において、前記第１帯状部材と前記第２帯状部材とを締結して使用されることを特徴とする向き癖矯正具。
【請求項４】
乳児の頭部の向き癖を矯正する向き癖矯正具であって、
仰臥位又は側臥位のいずれの状態においても乳児の首部を載置した際に顔面が乳児の身体方向と同一方向へ向くように形成されると共に、乳児の左右の首側部間を首後ろ回りに沿って湾曲可能に形成された首保持部と、
前記首保持部の長手方向の一端部に設けられた第１帯状部材と、
前記首保持部の長手方向の他端部に設けられた第２帯状部材と、を備え、
前記首保持部の長手方向を乳児の身体方向に対して左右方向に配置して、乳児の首後部が前記首保持部に接するように乳児の首部を載置し、その後、乳児の胸部近傍において、前記第１帯状部材を前記第２帯状部材よりも下方にして、前記第１帯状部材を前記他端部の側にある乳児の脇の下へ、前記第２帯状部材を前記一端部の側にある乳児の脇の下へ、それぞれ緩みなく掛け渡し、その後、前記第２帯状部材を乳児の体の背面側へ折り曲げ、さらに背中を沿って、その折り曲げた脇の下とは別の脇の下に緩みなく掛け渡し、その後、前記第１帯状部材と前記第２帯状部材とを互いに結びつけて使用されることを特徴とする向き癖矯正具。
【請求項５】
前記首保持部は、内包物と前記内包物を内包する中空の帯状体とからなることを特徴とする請求項１乃至４のいずれかに記載の向き癖矯正具。
【請求項６】
前記帯状体と前記第１帯状部材と前記第２帯状部材とは、連続した一つの帯状素材からなることを特徴とする請求項５に記載の向き癖矯正具。
【請求項７】
前記第１帯状部材及び前記第２帯状部材は、伸縮性を有することを特徴とする請求項１乃至６のいずれかに記載の向き癖矯正具。
【発明の詳細な説明】
【技術分野】
【０００１】
本発明は、乳児の頭部の向き癖を矯正する向き癖矯正具に関するものである。
【背景技術】
【０００２】
乳児の体はとても柔らかいため、首が据わるまでに、頭部の向きを気にせずに寝かせていると、頭部が向く方向に自然と向き癖が付いてしまうことがある。この向き癖は、頭部の一部が歪んだり、首の骨や背骨が捻れたりして、頭痛や運動能力に遅れが生じ、健全な発達を阻害する要因につがなるおそれがある。
【０００３】
この向き癖を矯正するには、枕やクッション等を用いて乳児の顔面が乳児の身体方向と同一方向へ向くようにさせる必要がある。
【０００４】
そこで、この乳児の頭部の向き癖を矯正するための枕が存在する。
【先行技術文献】
【特許文献】
【０００５】
特開平１０−７５８６３号公報
【発明の概要】
【発明が解決しようとする課題】
【０００６】
しかし、枕やクッション等を用いて向き癖を矯正するには、乳児を常に監視し続けなければならない問題があった。また、先行技術文献に記載の枕では、乳児が寝返りを打つなどして体が移動すると、頭部が本来当接しなければならない位置から離れてしまうため、向き癖を矯正することができないばかりか、向き癖を悪化させる原因にもつながる問題があった。
【０００７】
そこで本発明は、乳児への監視負担を軽減しつつ、乳児の体に負担を掛けることもなく、乳児の身体（特に上半身）が向く身体方向と同一方向へ向き続けることができる向き癖矯正具を提供するものである。
【課題を解決するための手段】
【０００８】
請求項１記載の向き癖矯正具は、乳児の頭部の向き癖を矯正する向き癖矯正具であって、乳児の首部を載置した際に乳児の顔面が乳児の身体方向と同一方向へ向くように形成された首保持部と、前記首保持部の対向する端部にそれぞれ設けられ、乳児の胸回りに巻き付けて乳児の上半身を緊締する第１帯状部材及び第２帯状部材と、を備えたことを特徴とするものである。
【０００９】
請求項２記載の向き癖矯正具は、請求項１に記載の向き癖矯正具において、前記首保持部は、乳児の左右の首側部間を首後ろ回りに沿って湾曲可能に形成されたことを特徴とするものである。
【００１０】
請求項３記載の向き癖矯正具は、乳児の頭部の向き癖を矯正する向き癖矯正具であって、乳児の首部を載置した際に乳児の顔面が乳児の身体方向と同一方向へ向くように形成された首保持部と、前記首保持部の長手方向の一端部に設けられた第１帯状部材と、前記首保持部の長手方向の他端部に設けられた第２帯状部材と、を備え、前記首保持部の長手方向を乳児の身体方向に対して左右方向に配置して、乳児の首後部が前記首保持部に接するように乳児の首部を載置し、その後、乳児の胸部近傍において、前記第１帯状部材を前記他端部の側にある乳児の脇の下へ、前記第２帯状部材を前記一端部の側にある乳児の脇の下へ、それぞれ緩みなく掛け渡し、その後、前記第１帯状部材及び前記第２帯状部材の双方又は一方を乳児の体の背面側へ折り曲げ、さらに背中に沿って、その折り曲げた脇の下とは別の脇の下へ緩みなく掛け渡し、その後、任意の位置において、前記第１帯状部材と前記第２帯状部材とを締結して使用されることを特徴とするものである。すなわち、この向き癖矯正具は、首保持部の長手方向を乳児の身体方向に対して左右方向に配置して、乳児の首後部が前記首保持部に接するように乳児の首部を載置し、その後、第１帯状部材と第２帯状部材とを、乳児の首側部付近から、胸部近傍を通り、脇の下まで緩みがないようにそれぞれ掛け渡すことにより、第１帯状部材と第２帯状部材とが、乳児の体の前面において、たすき掛けにした状態にし、その後、第１帯状部材と前記第２帯状部材の双方又は一方を、乳児の体の前面側から背面側へ折り曲げ、さらに背中に沿って、その折り曲げた脇の下とは別の脇の下へ緩みなく掛け渡し、その後、任意の位置において、第１帯状部材と第２帯状部材とを締結して使用されるものである。
【００１１】
請求項４記載の向き癖矯正具は、乳児の頭部の向き癖を矯正する向き癖矯正具であって、仰臥位又は側臥位のいずれの状態においても乳児の首部を載置した際に顔面が乳児の身体方向と同一方向へ向くように形成されると共に、乳児の左右の首側部間を首後ろ回りに沿って湾曲可能に形成された首保持部と、前記首保持部の長手方向の一端部に設けられた第１帯状部材と、前記首保持部の長手方向の他端部に設けられた第２帯状部材と、を備え、前記首保持部の長手方向を乳児の身体方向に対して左右方向に配置して、乳児の首後部が前記首保持部に接するように乳児の首部を載置し、その後、乳児の胸部近傍において、前記第１帯状部材を前記第２帯状部材よりも下方にして、前記第１帯状部材を前記他端部の側にある乳児の脇の下へ、前記第２帯状部材を前記一端部の側にある乳児の脇の下へ、それぞれ緩みなく掛け渡し、その後、前記第２帯状部材を乳児の体の背面側へ折り曲げ、さらに背中を沿って、その折り曲げた脇の下とは別の脇の下に緩みなく掛け渡し、その後、前記第１帯状部材と前記第２帯状部材とを互いに結びつけて使用されることを特徴とするものである。すなわち、この向き癖矯正具は、湾曲可能に形成された首保持部に、乳児の左右の首側部間を首後ろ回りに接するようにして、乳児の首部を載置し、その後、第１帯状部材を乳児の首側部付近から、胸部近傍を通り、脇の下まで緩みがないように掛け渡した後、第２帯状部材を、乳児の首側部付近から、胸部近傍を通り、脇の下へ緩みがないように掛け渡すことにより、第１帯状部材と第２帯状部材とが、第１帯状部材を第２帯状部材よりも下方にして、乳児の体の前面において、たすき掛けにした状態にし、その後、前記第２帯状部材を、乳児の体の前面側から背面側（背中側）へ折り曲げ、さらに背中に沿って、背中を横切るようにして、その折り曲げた脇の下とは別の脇の下へ緩みなく掛け渡し、その後、第１帯状部材と第２帯状部材とを互いに結びつけて使用されるものである。
【００１２】
請求項５記載の向き癖矯正具は、請求項１乃至４のいずれかに記載の向き癖矯正具において、前記首保持部は、内包物と前記内包物を内包する中空の帯状体とからなることを特徴とするものである。
【００１３】
請求項６記載の向き癖矯正具は、請求項５に記載の向き癖矯正具において、前記帯状体と前記第１帯状部材と前記第２帯状部材とは、連続した一つの帯状素材からなることを特徴とするものである。
【００１４】
請求項７記載の向き癖矯正具は、請求項１乃至６のいずれかに記載の向き癖矯正具において、前記第１帯状部材及び前記第２帯状部材は、伸縮性を有することを特徴とするものである。
【発明の効果】
【００１５】
首保持部の長手方向を乳児の身体方向に対して左右方向に配置して乳児の首部を載置した際に、首保持部が乳児の首後部にのみ当接可能に形成された場合には、第１帯状部材と第２帯状部材とによって乳児の上半身に緊締されることから、首保持部が乳児の首から離れることがなくなり、かつ、首保持部が乳児の身体方向へ押圧することから、乳児の顔面が常に乳児の身体方向と同一方向（乳児の顔面が真正面を向く方向）に向き続けることができる。これは、特に、乳児が寝返りを打てない時期や、寝返りが打てたとしても、第１帯状部材と第２帯状部材とによって上半身が緊締され寝返りを打つことが困難になる時期に有効である。
【００１６】
首保持部の長手方向を乳児の身体方向に対して左右方向に配置して乳児の首部を載置した際に、首保持部が乳児の左右の首側部間を首後ろ回りに沿って当接可能に形成された場合には、首側部を左右からも保持することができることから、乳児の首後部にのみを保持するよりも、乳児の首をさらに安定して保持することが可能となる。また、乳児に筋力が備わり寝返りを打って側臥位の状態になったとしても、首側部を保持し続けることができるため、乳児の顔面が常に乳児の身体方向と同一方向（乳児の顔面が真正面を向く方向）に向き続けることができる。
【００１７】
首保持部を内包物とその内包物を内包する中空の帯状体とから構成されることによって、内包物の量の調整が容易になることから、乳児の顔面が乳児の身体方向と同一方向へ向く高さに調節することができると共に、劣化やクッション性が悪化した場合には、内包物を必要に応じて追加又は交換することができる。
【００１８】
また、内包物を内包する中空の帯状体と第１帯状部材と第２帯状部材とが、連続した一つの帯状素材から構成されることにより、向き癖矯正具の製造を容易にすると共に、製造コストの軽減を図ることができる。
【００１９】
さらに、第１帯状部材と第２帯状部材とに伸縮性のある素材を用いることにより、乳児の体を必要以上に圧迫することがなくなり、乳児への負担を軽減することができる。
【図面の簡単な説明】
【００２０】
【図１】本発明に係る向き癖矯正具の斜視図である。
【図２】本発明に係る向き癖矯正具の製作工程を示す斜視図である。
【図３】本発明に係る向き癖矯正具の使用方法を示す平面図である。
【図４】本発明に係る向き癖矯正具の使用方法を示す斜視図である。
【図５】本発明に係る向き癖矯正具の使用方法を示す側面図である。
【図６】本発明に係る向き癖矯正具の使用方法を示す斜視図である。
【図７】本発明に係る向き癖矯正具の使用方法を示す平面図である。
【図８】本発明に係る向き癖矯正具の使用方法を示す背面図である。
【図９】本発明に係る向き癖矯正具の別の使用方法を示す斜視図である。
【図１０】本発明に係る向き癖矯正具の別の使用方法を示す斜視図である。
【発明を実施するための形態】
【００２１】
本発明を実施するための最良の形態について、図面を参照しながら説明する。
【００２２】
図１に示すように、向き癖矯正具１は、略円柱状に形成された首保持部１１と、首保持部１１の長手方向の対向する両側の端部からそれぞれ延在するように設けられた第１帯状部材１２及び第２帯状部材１３とから構成される。
【００２３】
首保持部１１は、内包物（図示せず）と、この内包物を内包する中空の帯状体とから構成され、この中空の帯状体に内包物が適量内包されることによって、乳児の首部を載置した際に乳児の顔面が乳児の身体方向と同一方向へ向くように所定の高さに形成されている。また、首保持部１１はその長手方向の長さが、乳児の左右の首側部間を首後ろ回りに沿って湾曲しながら当接可能な長さに形成されている。標準的な体型の乳児の場合には、首保持部１１の高さは３．５ｃｍ〜６ｃｍ程度、長手方向の長さは１４ｃｍ〜２０ｃｍ程度であることが望ましい。
【００２４】
なお、首保持部１１の長手方向の長さは、乳児が寝返りを打つことができない時期又は寝返りを打つことができたとしても、この向き癖矯正具１の使用によって容易に寝返りを打つことが困難であれば、乳児の首後部に当接可能な長さに形成されていれば足りる。この場合、標準的な体型の乳児の場合には、首保持部１１の長手方向の長さは５ｃｍ〜８ｃｍ程度であることが望ましい。なお、このような時期であれば、首保持部１１は、内包物と中空の帯状体とから構成される必要はなく、例えば、樹脂成形されたものと、そのカバー体から構成されていても構わない。
【００２５】
また、内包物の素材は問わないが、通気性や耐久性、加えて首に適度な刺激感を与え筋肉を和らげるためにも、合成樹脂からなる小径のパイプ状ビーズが望ましい。
【００２６】
首保持部１１の内包物は、仰臥位で乳児の首部を載置した際に乳児の顔面が乳児の身体方向と同一方向へ向く高さに形成されていたとしても、乳児が寝返りを打ち側臥位の状態になった場合には、乳児の顔面が乳児の身体方向と同一方向へ向かないことがある。この場合には、内包物の量を調節する必要があり、内容物が綿等の帯状体の中で容易に移動しないものであれば、内容物の量を変化させることによって調節することができ、ビーズなどの移動するものであれば、首側部に当接する部分と首後部に当接する部分とに区分けするように帯状体を縫合するなどして調節する必要がある。
【００２７】
第１帯状部材１２は、中空の伸縮性のある帯状体からなり、長手方向の長さが、少なくとも、乳児の左側の首側部付近から、胸部近傍を通り、右側の脇の下に至るまでの長さを有している（図５参照）。
【００２８】
第２帯状部材１３は、中空の伸縮性のある帯状体からなり、長手方向の長さが、少なくとも、乳児の右側の首側部付近から、胸部近傍を通り、左側の脇の下において体の背面側に折り曲げ、さらに、背中を通り、右側の脇の下に至るまでの長さを有している（図６参照）。
【００２９】
すなわち、第１帯状部材１２の長手方向の長さは乳児の胸回り半周程度、第２帯状部材１３の長手方向の長さは乳児の胸回り一周程度の長さを有し、首保持部１１の長手方向の長さは、第２帯状部材１３の長手方向の長さよりも短く形成されている。
【００３０】
図２に示すように、首保持部１１を構成する中空の帯状体と、第１帯状部材１２と、第２帯状部材１３とは、連続した一つの帯状素材から構成されており（図２（ａ））、この向き癖矯正具１は、首保持部１１と第１帯状部材１２との境界となる位置１１ｃにおいて中空を遮るようにして縫合し、その後、第２帯状部材１３の端部から内包物を適量挿入して（図２（ｂ））、首保持部１１を形成すべき位置に内包物をまとめ（図２（ｃ））、首保持部１１と第２帯状部材１３の境界となる位置１１ｂにおいて中空を遮るようにして縫合することにより形成される（図２（ｄ））。
【００３１】
なお、縫合する順序は、首保持部１１と第２帯状部材１３の境界となる位置１１ｂを先に縫合し、内包物を収容した後に、首保持部１１と第１帯状部材１２との境界となる位置１１ｃを縫合してもよく、また、内包物を入れた後に、境界位置１１ｃ及び１２ｃを縫合しても構わない。
【００３２】
また、首保持部１１と第１帯状部材１２と第２帯状部材１３とが全体として一つの帯状体である必要はなく、少なくとも首保持部１１が帯状体であればよく、第１帯状部材１２と第２帯状部材１３は中空円筒状である必要はない。首保持部１１が、第１帯状部材１２と第２帯状部材１３と一体に構成されていない場合には、例えば、首保持部１１の長手方向の対向する端部に取付部材を介して第１帯状部材１２と第２帯状部材１３とをそれぞれ取付けも構わない。
【００３３】
また、首保持部１１を構成する帯状体は伸縮性を有し、特に、縦方向の伸縮性が横方向（長手方向）の伸縮性より大きいことを特徴としている。これは、内部に内包物を収容したときに、帯状体が横方向よりも縦方向が延びて所定の高さを有した略円柱状に形成し、首回りに沿うように湾曲できるようにするためである。
【００３４】
次に、向き癖矯正具１の使用方法について説明する。
【００３５】
図３に示すように、第１帯状部材１２と首保持部１１と第２帯状部材１３とを直線上に配置し、その後、首保持部１１の長手方向が乳児の身体方向に対して左右方向に配置して、乳児の首後部が首保持部１１に接するようにして乳児を仰臥位で寝床面に寝かせる。その際、第１帯状部材１２及び第２帯状部材１３は、首保持部１１の左右のいずれに配置しても構わないが、ここでは図３乃至図６の通り、乳児の左半身側に第１帯状部材１２が、乳児の右半身側に第２帯状部材１３が、それぞれ配置されたものとして説明する。
【００３６】
図４に示すように、乳児の胸部近傍において、第１帯状部材１２を第２帯状部材１３よりも下方にして、第１帯状部材１２を乳児の右脇の下へ、第２帯状部材１３を乳児の左脇の下へ、それぞれ緩みなく掛け渡す。すなわち、第１帯状部材１２を、乳児の左側の首側部付近から、胸部近傍を通り、右脇の下まで緩みがないように掛け渡した後に、第２帯状部材１３を、乳児の右側の首側部付近から、胸部近傍を通し、左脇の下へ緩みがないように掛け渡すことにより、第１帯状部材１２と第２帯状部材１３とが、乳児の胸部近傍において、たすき掛けにした状態にする。
【００３７】
その後、図５に示すように、第２帯状部材１３を、左脇の下において体の背面側（乳児の背中側）に折り曲げ、さらに、乳児の背中を通し、右脇の下まで緩みなく掛け渡す。
【００３８】
その状態では、図６に示すように、第１帯状部材１２の端部１２ａと第２帯状部材１３の端部１３ａとはともに、乳児の右側の脇の下に位置するので、その位置で、両端部１２ａ、１３ａを、互いに結びつけて乳児の上半身が左右に容易に揺れない程度に緊締して乳児を固定する。
【００３９】
そうすると、向き癖矯正具１の高さは、内包物を内包することによって乳児を仰臥位で乳児の首部を載置した際に乳児の顔面が乳児の身体方向と同一方向へ向くように形成されていることから、乳児の首の後ろ側の彎曲部（後頭部と背中上部との間の凹み）に首保持部１１が隙間なく入り（図８参照）、かつ、第１帯状部材１２と第２帯状部材１３とが乳児の上半身に緊締されることにより、首保持部１１が乳児の左右の首側部間を首後ろ回りに沿って接し続け、さらに、乳児の首に均等に圧力が加わることから、乳児の顔面が乳児の身体方向と同一方向へ向くように乳児の首を常に保持することができる。この状態を保持し続けることにより、乳児の頭部の向き癖を矯正することが可能となる（図７参照）。
【００４０】
なお、互いに結びつけるのは、第１帯状部材１２の端部１２ａや第２帯状部材１３の端部１３ａである必要はない。また、第１帯状部材１２と第２帯状部材１３とを直接結びつけるのではなく、ひも留め具などの締結具により第１帯状部材１２と第２帯状部材１３とを締結しても構わない。
【００４１】
また、乳児の顔面が乳児の身体方向と同一方向へ向かせることができれば、第１帯状部材１２の端部と第２帯状部材１３の端部とを結び付ける位置は脇の下、つまり、体側面である必要はない。例えば、図９に示すとおり、体側面より胸側の上部の位置でも構わない。さらに、図１０に示すように、中央付近に首保持部１１を、その左右に長手方向の長さが略同一である第１帯状部材１２と第２帯状部材１３とを設け、第１帯状部材１２と第２帯状部材１３とを胸部近傍において、たすき掛けにした後、第１帯状部材１２と第２帯状部材１３とを、ともに背中を通過させた後に、体の前面のいずれかの位置において、第１帯状部材１２と第２帯状部材１３とを互いに結びつけてもよい。
【符号の説明】
【００４２】
１      向き癖矯正具
１１    首保持部
１２    第１帯状部材
１３    第２帯状部材
【図１】
2015228968.tif 000003
【図２】
2015228968.tif 000004
【図３】
2015228968.tif 000005
【図４】
2015228968.tif 000006
【図５】
2015228968.tif 000007
【図６】
2015228968.tif 000008
【図７】
2015228968.tif 000009
【図８】
2015228968.tif 000010
【図９】
2015228968.tif 000011
【図１０】
2015228968.tif 000012